(57)【要約】【課題】  本発明は、過去の設計変更における改善点や設計変更におけるその後の副作用を考慮し、設計者が、多面的な評価ができるように、設計変数や設計変数の数値的な範囲を提示する設計支援装置および設計支援方法を提供する。【解決手段】  本発明の設計支援装置は、過去の設計変更における変更内容とその変更内容に起因して発生する改善点とが紐づけられて保存されている改善点データベースと、過去の設計変更における変更内容とその変更内容に起因して発生した副作用とが紐づけられて保存されている副作用データベースと、改善点モデルデータベースと副作用データベースとに保存されている変更内容について、改善点と副作用とを紐づけて保存する設計変更影響データベースと、を具備する設計変更影響抽出部を有することを特徴とする。【選択図】  図１
2020095377.tif 000002
【特許請求の範囲】
【請求項１】
過去の設計変更における変更内容とその変更内容に起因して発生する改善点とが紐づけられて保存されている改善点データベースと、
過去の設計変更における変更内容とその変更内容に起因して発生した副作用とが紐づけられて保存されている副作用データベースと、
前記改善点データベースと前記副作用データベースとに保存されている変更内容について、前記改善点と前記副作用とを紐づけて保存する設計変更影響データベースと、
を具備する設計変更影響抽出部を有することを特徴とする設計支援装置。
【請求項２】
前記設計変更影響抽出部は、
前記変更内容とその変更内容に起因して発生する改善点とを紐づけて抽出する改善点抽出部と、
前記変更内容とその変更内容に起因して発生した副作用とが紐づけて抽出する副作用抽出部と、
を有することを特徴とする請求項１に記載の設計支援装置。
【請求項３】
前記設計変更影響抽出部は、
前記改善点データベースと前記副作用データベースとに保存されている変更内容について、前記改善点と前記副作用とを紐づける紐付部を有することを特徴とする請求項１に記載の設計支援装置。
【請求項４】
前記設計変更影響データベースに保存されている情報を表示する設計変更影響可視化部を有することを特徴とする請求項１に記載の設計支援装置。
【請求項５】
設計変更影響可視化部は、改善点と副作用との関係を、設計変更影響ツリーまたは多次元トレードオフグラフに表示することを特徴とする請求項４に記載の設計支援装置。
【請求項６】
前記設計変更影響抽出部は、設計変更の内容が項目的に保存されている設計変更モデルデータベースを有し、前記改善点抽出部は、前記設計変更モデルデータベースから前記変更内容とその変更内容に起因して発生する改善点とを紐づけて抽出することを特徴とする請求項２に記載の設計支援装置。
【請求項７】
過去の設計変更における変更内容とその変更内容に起因して発生する改善点とを紐づけて、改善点データベースに保存する工程と、
過去の設計変更における変更内容とその変更内容に起因して発生した副作用とを紐づけて、副作用データベースに保存する工程と、
前記改善点データベースと前記副作用データベースとに保存されている変更内容について、前記改善点と前記副作用とを紐づけて、設計変更影響データベースに保存する工程と、
を有することを特徴とする設計支援方法。
【発明の詳細な説明】
【技術分野】
【０００１】
本発明は、設計支援装置および設計支援方法に関する。
【背景技術】
【０００２】
製品の設計では、所定の設計値についてコンピュータ解析（以下、「解析」と称する）を実施し、製品の性能を評価している。また、ＧＡ（Genetic Algorithm：遺伝的アルゴリズム）を代表とする最適化手法を駆使して、設計しようとするパラメータ（以下、「設計変数」と称する）を繰り返し解析することにより、最適な設計値を自動検索している。
【０００３】
しかし、どのようなパラメータを使用するか、即ち、設計変数の選定や設計変数の数値的な範囲の設定には専門的な知識が必要である。このため、各種の設計支援ツールが提案されている。
【０００４】
こうした技術分野の背景技術として、特開２０１０−９１５１号公報（特許文献１）がある。この公報には、アプリケーションサーバの登録結果配信モジュールが、設計者による製品の特定部分の指定を受けて、特定部分を変化させた場合の変化前の状態と変化後の状態との組み合わせに対応したスコアデータや不具合情報などの過去情報を、設計者端末に提供し、設計者は、過去情報を参照することにより、特定部分の変化後の状態を適切に決定することができるユーザ利便性を向上させた設計支援装置が記載されている。
【先行技術文献】
【特許文献】
【０００５】
【特許文献１】特開２０１０−９１５１号公報
【発明の概要】
【発明が解決しようとする課題】
【０００６】
特許文献１には、不具合情報などの過去情報を設計者端末に提供する設計支援装置が記載され、不具合情報などの過去情報と特定部分の変化後の状態（設計変更）とを紐づけることにより、設計変更による不具合を防止することが記載されている。
【０００７】
しかし、特許文献１には、設計変更がもたらす性能などの改善点や副作用を、設計変数の選定や設計変数の数値的な範囲の設定に反映することについては記載されていない。
【０００８】
そこで、本発明は、過去の設計変更における改善点や設計変更におけるその後の副作用を考慮し、設計者が、多面的な評価ができるように、設計変数や設計変数の数値的な範囲を評価する設計支援装置および設計支援方法を提供する。
【課題を解決するための手段】
【０００９】
上記課題を解決するため、本発明の設計支援装置は、過去の設計変更における変更内容とその変更内容に起因して発生する改善点とが紐づけられて保存されている改善点データベースと、過去の設計変更における変更内容とその変更内容に起因して発生した副作用とが紐づけられて保存されている副作用データベースと、改善点モデルデータベースと副作用データベースとに保存されている変更内容について、改善点と副作用とを紐づけて保存する設計変更影響データベースと、を具備する設計変更影響抽出部を有することを特徴とする。
【００１０】
また、本発明の設計支援方法は、過去の設計変更における変更内容とその変更内容に起因して発生する改善点とを紐づけて、改善点データベースに保存する工程と、過去の設計変更における変更内容とその変更内容に起因して発生した副作用とを紐づけて、副作用データベースに保存する工程と、改善点モデルデータベースと副作用データベースとに保存されている変更内容について、改善点と副作用とを紐づけて、設計変更影響データベースに保存する工程と、を有することを特徴とする。
【発明の効果】
【００１１】
本発明によれば、過去の設計変更における改善点や設計変更におけるその後の副作用を考慮し、設計者が、多面的な評価ができるように、設計変数や設計変数の数値的な範囲を評価する設計支援装置および設計支援方法を提供することができる。
【００１２】
なお、上記した以外の課題、構成および効果は、以下の実施例の記載により明らかにされる。
【図面の簡単な説明】
【００１３】
【図１】本実施例に係る設計支援装置の構成を説明する説明図である。
【図２】本実施例に係る設計変更の内容抽出を説明する説明図である。
【図３】本実施例に係る設計変更モデルＤＢを説明する説明図である。
【図４】本実施例に係る設計変更影響抽出部を説明する説明図である。
【図５】本実施例に係る改善点ＤＢを説明する説明図である。
【図６】本実施例に係る副作用ＤＢを説明する説明図である。
【図７】本実施例に係る設計変更影響ＤＢを説明する説明図である。
【図８】本実施例に係る設計変更影響ツリーを説明する説明図である。
【図９】本実施例に係る多次元トレードオフグラフを説明する説明図である。
【発明を実施するための形態】
【００１４】
以下、本発明の実施例を、図面に使用して説明する。なお、同一または類似の構成には、同一の符号を付し、説明が重複する場合には、その説明を省略する場合がある。
【実施例１】
【００１５】
図１は、本実施例に係る設計支援装置の構成を説明する説明図である。
【００１６】
本実施例に記載される設計支援装置は、対象部品（以下、最終的な「製品」や「システム」も含む。）に関する設計を支援する装置であり、計算機１００で作動するものであり、設計変更データベース格納部（以下、設計変更ＤＢと称する）Ｄ００１と、不具合データベース格納部（以下、不具合ＤＢと称する）Ｄ００２と、設計変更内容抽出部１０１と、設計変更影響範囲抽出部１０２と、設計変更影響可視化部１０３と、を有する。なお、「データベース」を「ＤＢ」と称して説明する。
【００１７】
設計変更ＤＢ（Ｄ００１）は、対象部品に関連する過去の設計変更の内容、つまり、設計変更通知書、過去の設計変更検討書、過去の設計変更の詳細を記録するレポート（電子ファイルを含む）などが保存されているものである。
【００１８】
不具合ＤＢ（Ｄ００２）は、対象部品に関連する過去の設計変更に起因して発生した不具合（事項を含む）、つまり、不具合の説明情報、それらに関連する分析情報やそのレポート（電子ファイルを含む）などが保存されているものである。
【００１９】
設計変更内容抽出部１０１は、設計変更ＤＢ（Ｄ００１）から、設計変更の内容（所定の項目）を抽出し、後述する設計変更モデルＤＢ（Ｄ００３）に保存する。
【００２０】
設計変更影響範囲抽出部１０２は、後述する改善点と後述する副作用とを紐づけて保存する。
【００２１】
設計変更影響可視化部１０３は、後述する改善点と後述する副作用との関係を可視化する。
【００２２】
図２は、本実施例に係る設計変更の内容抽出を説明する説明図である。
【００２３】
本実施例では、設計変更ＤＢ（Ｄ００１）に保存されている設計変更通知書および設計変更検討書から、設計変更の内容として、変更対象（対象部品）、変更日付、変更内容、改善点、つまり、所定の項目を抽出し、設計変更影響範囲抽出部１０２に設置される設計変更モデルＤＢ（Ｄ００３）に保存する。なお、「改善点」とは、設計変更に基づいて変更された「変更内容」における効果（良さ）である。
【００２４】
設計変更ＤＢ（Ｄ００１）に保存されている設計変更通知書および設計変更検討書には、例えば、以下のように、その設計変更の内容（具体的な文章）が保存されている。
「設計変更通知書」には、
■２０１２年８月２日：
コスト削減のため、部品Ａの材料をＡからＢへ変更した。
■２０１２年８月３日：
効率向上のため、部品Ａの寸法をＸからＹへ変更した。
が記載され、
「設計変更検討書１」には、
■部品Ａの材料をＡからＢへ変更した。その効果について試算した。
結果、コストがＣＡからＣＢに削減できる見通しを得た。重量がＷＡからＷＢに軽減できる見通しを得た。
が記載され、
「設計変更検討書２」には、
■部品Ａの寸法をＸからＹへ変更した。その効果について実験で測定した。
結果、製品の効率がＥＸからＥＹに向上することが分かった。
が記載されている。
【００２５】
こうした設計変更ＤＢ（Ｄ００１）に保存されている設計変更の内容（具体的な文章）から、設計変更内容抽出部１０１は、変更対象（対象部品）、変更日付、変更内容、改善点、つまり、所定の項目を抽出し、設計変更影響範囲抽出部１０２に設置される設計変更モデルＤＢ（Ｄ００３）に保存する。
【００２６】
つまり、設計変更内容抽出部１０１は、設計変更ＤＢ（Ｄ００１）から設計変更の内容（変更対象（対象部品）、変更日付、変更内容、改善点）を項目的に抽出し、設計変更影響範囲抽出部１０２に設置される設計変更モデルＤＢ（Ｄ００３）に保存する。
【００２７】
図３は、本実施例に係る設計変更モデルＤＢを説明する説明図である。
【００２８】
設計変更モデルＤＢ（Ｄ００３）には、設計変更ＤＢ（Ｄ００１）に保存されている設計変更の内容（具体的な文章）から抽出された、変更対象（対象部品）、変更日付、変更内容、改善点が保存される。
【００２９】
例えば、変更単位の変更１では、変更対象として「部品Ａ」、変更日付として「２０１２年８月２日」、変更内容として「材料Ａ→Ｂ」、改善点として「コスト減少ＣＡ→ＣＢ、重量減少ＷＡ→ＷＢ」が、同様に、変更単位の変更２では、変更対象として「部品Ａ」、変更日付として「２０１２年８月３日」、変更内容として「寸法Ｘ→Ｙ」、改善点として「効率増加ＥＸ→ＥＹ」が、抽出され、変更対象、変更内容、改善点が紐づけられて、テーブル形式にて、保存される。
【００３０】
なお、この抽出は、人為的に実行されてもよいし、機械的に、例えば自然言語処理などの人工知能技術を使用した機械学習にて、実行されてもよい。
【００３１】
図４は、本実施例に係る設計変更影響抽出部を説明する説明図である。
【００３２】
設計変更影響抽出部１０２は、設計変更モデルＤＢ（Ｄ００３）、改善点抽出部２０１、副作用抽出部２０２、改善点ＤＢ（Ｄ００４）、副作用ＤＢ（Ｄ００５）、紐付部２０３、設計変更影響ＤＢ（Ｄ００６）を有する。設計変更影響抽出部１０２は、設計変更について、改善点と副作用とを関連付けて定義する。
【００３３】
設計変更モデルＤＢ（Ｄ００３）には、先述したように、変更対象（対象部品）、変更日付、変更内容、改善点が保存されている。つまり、設計変更モデルＤＢ（Ｄ００３）には、設計変更の内容が項目的に保存されている。
【００３４】
改善点抽出部２０１は、設計変更モデルＤＢ（Ｄ００３）に保存されている変更内容（材料Ａ→Ｂ、寸法Ｘ→Ｙ）と改善点（コスト減少ＣＡ→ＣＢ、重量減少ＷＡ→ＷＢ、効率増加ＥＸ→ＥＹ）とを、変更単位（変更１、変更２）に紐付けて抽出する。
【００３５】
つまり、改善点抽出部２０１は、設計変更モデルＤＢ（Ｄ００３）から、変更内容とその変更内容に起因して発生する改善点とを紐づけて抽出する。
【００３６】
そして、抽出された変更内容（材料Ａ→Ｂ、寸法Ｘ→Ｙ）と改善点（コスト減少ＣＡ→ＣＢ、重量減少ＷＡ→ＷＢ、効率増加ＥＸ→ＥＹ）とを、変更単位（変更１、変更２）に紐付けて、改善点ＤＢ（Ｄ００４）に保存する。
【００３７】
つまり、改善点ＤＢ（Ｄ００４）には、過去の設計変更における変更内容とその変更内容に起因して発生する改善点とが紐づけられて保存されている。
【００３８】
一方、不具合ＤＢ（Ｄ００２）には、先述したように、対象部品に関連する過去に発生した不具合（事故を含む）の説明情報、それらに関連する分析情報やそのレポート（電子ファイルを含む）などが保存されている。
【００３９】
なお、不具合ＤＢ（Ｄ００２）には、対象部品に関連する過去の設計変更に基づいて発生した不具合、つまり、設計変更に基づいて発生した副作用（不具合の原因）が保存されている。設計変更に基づいて発生した不具合は、具体的な文章で保存されてもよいし、所定の項目が保存されてもよい。「副作用」とは、設計変更に基づいて変更された「変更内容」における不具合の原因である。
【００４０】
副作用抽出部２０２は、不具合ＤＢ（Ｄ００２）に保存されている設計変更に基づいて発生した不具合の情報を抽出する。
【００４１】
つまり、副作用抽出部２０２は、変更内容とその変更内容に起因して発生した副作用とが紐づけて抽出する。
【００４２】
なお、不具合ＤＢ（Ｄ００２）には、不具合に対応して、事象、設計変更、変更内容、原因（副作用）などが保存されている。例えば、不具合１に対応して、事象（事象１）、設計単位（変更１）、変更内容（材料Ａ→Ｂ）、原因（副作用）（強度減少ＳＡ→ＳＢ、騒音増加ＮＡ→ＮＢ）、や、不具合２に対応して、事象（事象２）、設計単位（変更２）、変更内容（寸法Ｘ→Ｙ）、原因（副作用）（コスト増加ＣＸ→ＣＹ、事故率増加ＡＸ→ＡＹ）が保存される。
【００４３】
そして、副作用抽出部２０２は、不具合ＤＢ（Ｄ００２）に保存されている変更内容（材料Ａ→Ｂ、寸法Ｘ→Ｙ）と副作用（強度減少ＳＡ→ＳＢ、騒音増加ＮＡ→ＮＢ、強度減少ＳＡ→ＳＢ、騒音増加ＮＡ→ＮＢ）とを、変更単位（変更１、変更２）に紐付けて抽出する。
【００４４】
そして、抽出された変更内容（材料Ａ→Ｂ、寸法Ｘ→Ｙ）と副作用（強度減少ＳＡ→ＳＢ、騒音増加ＮＡ→ＮＢ、強度減少ＳＡ→ＳＢ、騒音増加ＮＡ→ＮＢ）とを、変更単位（変更１、変更２）に紐付けて、副作用ＤＢ（Ｄ００５）に保存する。
【００４５】
つまり、副作用ＤＢ（Ｄ００５）には、過去の設計変更における変更内容とその変更内容に起因して発生した副作用とが紐づけられて保存されている。
【００４６】
紐付部２０３は、改善点ＤＢ（Ｄ００４）と副作用ＤＢ（Ｄ００５）とに保存されている情報を対比し、変更単位に対応する改善点と副作用とを紐付けて、対比された情報を抽出する。
【００４７】
つまり、紐付部２０３は、改善点ＤＢ（Ｄ００４）と副作用ＤＢ（Ｄ００５）とに保存されている変更内容について、改善点と副作用とを紐づける。
【００４８】
そして、抽出された情報を設計変更影響ＤＢ（Ｄ００６）に保存する。
【００４９】
つまり、設計変更影響ＤＢ（Ｄ００６）には、変更単位（変更１）に対応する変更内容（材料Ａ→Ｂ）は、改善点（コスト減少ＣＡ→ＣＢ、重量減少ＷＡ→ＷＢ）と副作用（強度減少ＳＡ→ＳＢ、騒音増加ＮＡ→ＮＢ）とが、変更単位（変更２）に対応する変更内容（寸法Ｘ→Ｙ）は、改善点（効率増加ＥＸ→ＥＹ）と副作用（強度減少ＳＡ→ＳＢ、騒音増加ＮＡ→ＮＢ）とが、紐付けられて保存される。
【００５０】
つまり、設計変更影響ＤＢ（Ｄ００６）には、改善点ＤＢ（Ｄ００４）と副作用ＤＢ（Ｄ００５）とに保存されている変更内容について、改善点と副作用とが紐づけられて保存されている。
【００５１】
このように、本実施例に記載する設計支援方法は、過去の設計変更における変更内容とその変更内容に起因して発生する改善点とを紐づけて、改善点ＤＢ（Ｄ００４）に保存（第１工程）し、過去の設計変更における変更内容とその変更内容に起因して発生した副作用とを紐づけて、副作用ＤＢ（Ｄ００５）に保存（第２工程）し、改善点ＤＢ（Ｄ００４）と副作用ＤＢ（Ｄ００５）とに保存されている変更内容について、改善点と副作用とを紐づけて、設計変更影響ＤＢ（Ｄ００６）に保存（第３工程）する。
【００５２】
図５は本実施例に係る改善点ＤＢを説明する説明図である。
【００５３】
改善点ＤＢ（Ｄ００４）には、抽出された変更内容（材料Ａ→Ｂ、寸法Ｘ→Ｙ）と改善点（コスト減少ＣＡ→ＣＢ、重量減少ＷＡ→ＷＢ、効率増加ＥＸ→ＥＹ）とが、変更単位（変更１、変更２）に紐付けられて、定量的に記載され、改善点と変更内容とがテーブル形式にて保存される。
【００５４】
図６は、本実施例に係る副作用ＤＢを説明する説明図である。
【００５５】
副作用ＤＢ（Ｄ００５）には、抽出された変更内容（材料Ａ→Ｂ、寸法Ｘ→Ｙ）と副作用（強度減少ＳＡ→ＳＢ、騒音増加ＮＡ→ＮＢ、強度減少ＳＡ→ＳＢ、騒音増加ＮＡ→ＮＢ）とが、変更単位（変更１、変更２）に紐付けられて、定量的に記載され、副作用と変更内容とがテーブル形式にて保存される。
【００５６】
図７は、本実施例に係る設計変更影響ＤＢを説明する説明図である。
【００５７】
設計変更影響ＤＢ（Ｄ００６）は、改善点ＤＢ（Ｄ００４）と副作用ＤＢ（Ｄ００５）とを統合して作成されるものである。
【００５８】
設計変更影響ＤＢ（Ｄ００６）には、変更単位（変更１）に対応する変更内容（材料Ａ→Ｂ）は、改善点（コスト減少ＣＡ→ＣＢ、重量減少ＷＡ→ＷＢ）と副作用（強度減少ＳＡ→ＳＢ、騒音増加ＮＡ→ＮＢ）とが、変更単位（変更２）に対応する変更内容（寸法Ｘ→Ｙ）は、改善点（効率増加ＥＸ→ＥＹ）と副作用（強度減少ＳＡ→ＳＢ、騒音増加ＮＡ→ＮＢ）とが、紐付けられて、定量的に記載され、テーブル形式にて保存される。
【００５９】
そして、設計変更影響ＤＢ（Ｄ００６）に保存されている情報を、例えば、設計変更影響ツリーや多次元トレードオフグラフなどの可視化手法を使用して、可視化し、設計者に分かりやすく提示する。
【００６０】
図８は、本実施例に係る設計変更影響ツリーを説明する説明図である。
【００６１】
本実施例では、設計変更影響ＤＢ（Ｄ００６）に保存されている情報（改善点及び副作用）を、設計変更影響ツリーに表示する。
【００６２】
設計変更影響可視化部１０３は、設計変更影響ＤＢ（Ｄ００６）に保存されている情報を、設計変更影響ツリーに表示する。
【００６３】
つまり、部品Ａに対して、設計変更（材料Ａ→Ｂ、寸法Ｘ→Ｙ）を実施する場合、それぞれの変更内容に対応した改善点と副作用とをツリー構造で表示する。
【００６４】
例えば、変更１に関しては、改善点では改善点１と改善点２とを表示し、副作用では副作用１と副作用２とを表示する。また、変更２に関しては、改善点では改善点１を表示し、副作用では副作用１と副作用２とを表示する。
【００６５】
このように、設計変更に対する改善点と副作用とが一覧できるため、設計変更に対して、設計者は、簡便に多面的な評価ができ、そして、設計変数やその数値的な範囲が具体的に評価されることにより、設計者に対する設計支援が可能となる。
【００６６】
つまり、本実施例によれば、対象部品の設計変更について、変更内容（設計変数）に対して、その変更内容の数値的な範囲（改善点や副作用）を評価（改善点や副作用）することができる。
【００６７】
図９は、本実施例に係る多次元トレードオフグラフを説明する説明図である。
【００６８】
また、本実施例では、設計変更影響ＤＢ（Ｄ００６）に保存されている情報（改善点及び副作用）を、多次元（本実施例では２次元）トレードオフグラフに表示する。
【００６９】
設計変更影響可視化部１０３は、設計変更影響ＤＢ（Ｄ００６）に保存されている情報を、多次元トレードオフグラフに表示する。
【００７０】
ある設計変更がもたらす改善点と副作用との関係について、トレードオフブラフにて表示し、改善点と副作用とのトレードオフ関係を設計者に提示する。例えば、本実施例では、変更１について、改善点１と副作用１、改善点１と副作用２、改善点２と副作用１、改善点２と副作用２、の関係を表示することができ、また、変更２について、改善点１と副作用１、改善点１と副作用２、の関係を表示することができる。
【００７１】
つまり、本実施例によれば、対象部品の設計変更について、変更内容（設計変数）に対して、その変更内容の数値的な範囲（改善点や副作用）を評価することができる。
【００７２】
このように、本実施例によれば、対象部品の設計変更において、設計変数の選定やその数値的な範囲の設定を評価し、設計者の設計変更（または新規設計）を支援することができる。
【００７３】
これにより、設計変数の選定やその数値的な範囲の設定における性能（効率等）の評価のみならず、コスト評価や事故率評価など、多面的に評価することができる。
【００７４】
このように、本実施例に記載する対象部品に関する設計を支援する設計支援装置は、対象部品に関連する過去の設計変更の内容を保存する設計変更ＤＢ（Ｄ００１）と、対象部品に関連する過去の設計変更に起因して発生した不具合を保存する不具合ＤＢ（Ｄ００２）と、設計変更ＤＢ（Ｄ００１）から設計変更の内容を項目的に抽出する設計変更内容抽出部１０１と、設計変更について改善点と副作用とを関連付けて定義する設計変更影響抽出部１０２と、改善点と副作用とを表示する設計変更影響可視化部１０３と、を有するものである。
【００７５】
本実施例によれば、設計者が、過去の設計変更の改善点や副作用を参考にしながら、設計変数（軸）の選定やその数値的な範囲の設定が可能であり、設計効率の向上、設計段階におけるリスク回避が可能となる。
【００７６】
また、改善点と副作用とのどちらかのデータが存在しない場合には、存在するデータを使用して、設計者に提示してもよい。
【００７７】
また、自然言語処理などの人工知能技術を使用して、設計変更モデルＤＢ（Ｄ００３）、改善点ＤＢ（Ｄ００４）、副作用ＤＢ（Ｄ００５）を自動的に抽出することもできる。
【００７８】
更には、改善点や副作用を定量的な指標を使用して数値化してもよい。例えば，不具合が発生した頻度と経済的な損失とからリスク係数を算出することが可能である。
【００７９】
なお、本実施例では、設計変更ＤＢ（Ｄ００１）などのＤＢを同一の計算機１００に格納しているが、ネットワーク環境を使用することにより、異なる計算機またはストレージにおいて格納することも可能である。
【００８０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。
【符号の説明】
【００８１】
１００  計算機
１０１  設計変更内容抽出部
１０２  設計変更影響抽出部
１０３  設計変更影響可視化部
２０１  改善点抽出部
２０２  副作用抽出部
２０３  紐付部
Ｄ００１  設計変更ＤＢ
Ｄ００２  不具合ＤＢ
Ｄ００３  設計変更モデルＤＢ
Ｄ００４  改善点ＤＢ
Ｄ００５  副作用ＤＢ
Ｄ００６  設計変更影響ＤＢ
【図１】
2020095377.tif 000003
【図２】
2020095377.tif 000004
【図３】
2020095377.tif 000005
【図４】
2020095377.tif 000006
【図５】
2020095377.tif 000007
【図６】
2020095377.tif 000008
【図７】
2020095377.tif 000009
【図８】
2020095377.tif 000010
【図９】
2020095377.tif 000011